(57)【要約】【課題】  美容ローラーマッサージ器の使用に際して生ずる上述の不具合を解消するため、使用に際し皮膚面に対して最適な押圧力ないし打撃力を熟練を要することなく容易に付与することができるフィンガーアタッチメントを備えた美容ローラーマッサージ器を提供すること。【解決手段】  皮膚面を押圧ないし打撃する回転打撃部を備えたローラーＲｔ，Ｒｃを、握りとなる棒状基軸Ａの少なくとも一端へ回転自在に装着した美容ローラーマッサージ器において、前記基軸Ａに環状体１をその中心穴において位置と向きを可変に装着し、前記基軸Ａを使用者が握りその親指と人指し指をその使用者の好みの感触で前記環状体１に当てがうときその環状体１をフィンガーアタッチメントとして基軸Ａ上での位置、及び／又は、向きを選択できるように設けたこと。【選択図】図１
2009130789.tif 000002
【特許請求の範囲】
【請求項１】
皮膚面を押圧ないし打撃する回転打撃部を備えたローラーを、握りとなる棒状基軸の少なくとも一端へ回転自在に装着した美容ローラーマッサージ器において、前記基軸に環状体をその中心穴において位置と向きを可変に装着し、前記基軸を使用者が握りその親指と人指し指をその使用者の好みの感触で前記環状体に当てがうときその環状体をフィンガーアタッチメントとして基軸上での位置、及び／又は、向きを選択できるように設けたことを特徴とする美容ローラーマッサージ器。
【請求項２】
環状体の中心穴と基軸の外面は、摩擦部を介して当接させ、前記環状体を基軸上ですべらせて位置又は向き決め、その位置又は向きで保持できるようにした請求項１のマッサージ器。
【請求項３】
環状体は基軸に対してビス止めにより装着し、前記ビスの締めと緩めにより装着位置又は向きを変更して固定できるようにした請求項１のマッサージ器。
【請求項４】
フィンガーアタッチメントの環状体は、リング状の基部とその該基部の外周面に形成した雄ネジを備え、この雄ネジは、前記ローラーと前記基軸を収納可能なキャップの開口端の内周面に設けた雌ネジと螺合することにより、当該キャップを前記基部に対して着脱可能に装着できるようにした請求項１〜３のいずれかのマッサージ器。
【請求項５】
フィンガーアタッチメントは、正断面形状が円形乃至多角形の鍔状に形成した請求項１〜４のいずれかのマッサージ器。
【請求項６】
フィンガーアタッチメントの正断面形状は略正六角形である請求項５のマッサージ器。
【発明の詳細な説明】
【技術分野】
【０００１】
本発明は、ローラーの回転により顔面の酸化脂肪などを除去して美顔を作り上げる美容ローラーマッサージ器に関し、特にこのマッサージ器を使用するのに好適な作用をするフィンガーアタッチメントを備えた美容ローラーマッサージ器に関する。
【背景技術】
【０００２】
美肌を手に入れるには、本来的に肌が持つ代謝機能を十分に発揮させるため、血液やリンパなどの循環系を良好に維持することが大切なことはよく知られている。その最も身近な方法の一つは洗顔である。
一方、今日、水にも汗にも強く、色落ちしない化粧品ならびにそれらを用いた鮮やかなメイクが人気を博し、落ちない（落ちにくい）化粧品の使用頻度は高い。特に、皮膚に対して強い粘着性を有する化粧品は、シリコン系またはタール系の原料によるものが多く、洗顔時においてはダブル洗顔ないし強力なクレンジング・オイルなどを用いてメイクを落とす必要がある。【０００３】
ところが、毛穴に詰まった「落ちない化粧品」は、上記のようなクレンジング剤等を用いても完全に落とすことは相当に困難である。そこで、つい、ブラッシングやタオルなどによってこれを擦り取ろうと肌に強い刺激を与えてしまうことがあり、そのダメージから代謝機能は低下して皮膚の老化が進み、皮肉にも洗顔によって肌がボロボロになるという不都合が生じている。【０００４】
これについて、美顔の研究家・専門家らの多くは、ローラーマッサージ器を用いた美顔法を提唱している。そして、美顔のために考案された美容ローラーマッサージ器も既に多数存在している。ここで、美容ローラーマッサージ器の使用時に最も注意しなければならないのは、皮膚面に対して過剰な刺激を与えないことである。特に、顔と皮膚の結合組織は、顔筋に密着して張付いているので、過度の刺激から顔筋と皮膚とが剥離するとちりめん様の皺が発生したり、あるいは静脈血管が遊離して皮膚を弛ませるなどの危険を伴うといわれている。【０００５】
しかしながら、従来型の美容ローラーマッサージ器は、使用者の所望の強さに応じた押圧力ないし打撃力が付与される構成であるが、上述のように、強い力を思わず加えた結果生じる皮下出血等の不具合が依然として多数報告されている。【０００６】
これに関連して、リンパ等の循環系の状態を良くする方法として、指先で皮膚面を軽く叩く「叩打法」というマッサージ法が古くから知られている。これは、リンパの循環を良くするのに最適な美容法といわれ、これによれば、顔筋と皮膚との結合状態に悪影響を及ぼすことなく、皮膚面に適度な刺激を与えることができる。かかる理由から、現在、肌をなるべく擦らずに済む「叩打法」を実践する美容家が増加傾向にある。
【特許文献１】実用新案登録第３０９１８３６号公報
【発明の開示】
【発明が解決しようとする課題】
【０００７】
そこで本発明は、美容ローラーマッサージ器の使用に際して生ずる上述の不具合を解消するため、使用に際し皮膚面に対して最適な押圧力ないし打撃力を熟練を要することなく容易に付与することができるフィンガーアタッチメントを備えた美容ローラーマッサージ器を提供することを課題とする。
【課題を解決するための手段】
【０００８】
上記の課題を解決するためになされた本発明美容ローラーマッサージ器の構成は、皮膚面を押圧ないし打撃する回転打撃部を備えたローラーを、握りとなる棒状基軸の少なくとも一端へ回転自在に装着した美容ローラーマッサージ器において、前記基軸に環状体をその中心穴において位置と向きを可変に装着し、前記基軸を使用者が握りその親指と人指し指をその使用者の好みの感触で前記環状体に当てがうときその環状体をフィンガーアタッチメントとして基軸上での位置及び又は向きを選択できるように設けたことを特徴とするものである。【０００９】
本発明マッサージ器において、環状体の中心穴と基軸の外面は、摩擦部を介して当接させ、前記環状体を基軸上ですべり移動又は回転させて位置又は向きを決め、その位置又は向きで保持できるようにすることが好ましい。本発明では、上記の摩擦力に代え、前記環状体を基軸に対してビス止めにより装着し、前記ビスの締めと緩めにより装着位置又は向きを変更して固定できるようにすることもできる。【００１０】
上記の本発明マッサージ器は、具体的な構成の一例として、フィンガーアタッチメントの環状体を、リング状の基部とその該基部の外周面に形成した雄ネジを備えて形成し、この雄ネジに、前記ローラーと前記基軸を収納可能なキャップの開口端の内周面に設けた雌ネジを螺合させることにより、当該キャップを前記基部に対して着脱可能に装着できるようにした構成とすることもできる。【００１１】
本発明におけるフィンガーアタッチメントは、正断面が円形乃至多角形の鍔状であることが好ましく、具体的な形態例としては、正断面形状を略六角形乃至頂点をカットした三角形に形成し、基軸に対して位置可変かつ回転可能に設ける。位置可変および回転可能のための機構は、上記に述べたように、摩擦部のフリクションを介したすべり移動、及び／又は、回転によるその位置と向きでの保持のほか、当該アタッチメントに設けた止めビスの基軸に対する締め込みと緩めによる基軸上での移動、及び／又は、回転により選択した位置と向きでの固定形態を採ることもできる。
【発明の効果】
【００１２】
本発明美容ローラーマッサージ器は、回転打撃部を有するローラーの回転により脂肪等を除去する美容ローラーマッサージ器の使用に際し、使用者が握りとなる棒状基軸の一端を握るとき、その握った手の人差指と親指又はいずれか一方の指をフィンガーアタッチメントに添えた形態でローラーを皮膚面に当てがいこれを使用するので、不必要に強い力を以て皮膚面を押圧ないし打撃することがない。【００１３】
また、フィンガーアタッチメントをマッサージ器本体の略重心乃至その近傍に配設すると、押圧力と打撃力をいわゆるピアノタッチ（100〜200g重程度）に容易に加減できるので、使用者は簡易に理想的な美容法である「叩打法」を実践することができる。【００１４】
さらに、ローラーを含む基軸の一半側を収納できるキャップを、その開口端内周に設けた係合部において、当該フィンガーアタッチメントの基部の外周に設けた係止部に係合させて装着することにより、このキャップを前記基軸を握り易くするグリップ部材としても機能させることができる。しかも、係止片を基部の両面に配設すれば、マッサージ器を使用しない時は２つのキャップによりマッサージ器を２つのキャップで完全にカバーすることができる。【００１５】
以上のように本発明マッサージ器は、皮膚面に対する過剰な刺激から顔筋と皮膚とが剥離するとちりめん様の皺が発生したり、あるいは静脈血管が遊離して皮膚を弛ませるといった不具合はほぼ完璧に回避することができる。
【発明を実施するための最良の形態】
【００１６】
次に、本発明の実施の形態例について図に拠り説明する。図１はフィンガーアタッチメントを取付けた本発明美容ローラーマッサージ器の一例を示した正面図、図２は図１のマッサージ器におけるフィンガーアタッチメントの使用態様を表した斜視図、図３は図１のマッサージ器においてフィンガーアタッチメントの一端側にキャップを係合した状態の正面図、図４は図１のマッサージ器においてフィンガーアタッチメントの他端側にキャップを係合した状態の正面図、図５は図１のマッサージ器のフィンガーアタッチメントの両端側にキャップを係合した状態の正面図、図６は図５の本発明ローラーマッサージ器の縦断面図である。【００１７】
図１は本発明美容ローラーマッサージ器の一例の正面を示しており、基軸Ａとその両端において回転自在に軸設した回転打撃ローラーＲｔおよびクーラント・ローラーＲｃを備えている。ここで、１は、本発明に係るフィンガーアタッチメントであって、基軸Ａの所望の位置に位置可変に装着された略リング状の基部Ｂを有する。この基部Ｂにおいてその外周面に設けたフランジ部Ｆの両側には、後述するキャップＣを保持するための雄ネジＥが対称的に設けられており、被せるキャップＣの開口端内周面に設けた雄ネジＥｃと互いに螺合することにより、自在にキャップＣを装着して保持することができる。なお、前記基軸Ａの両端に設けた前記ローラＲｔとＲｃは、図６に例示するように、一例としてプラスチック製の支持軸２，３に、ベアリング４，５を介して回転自在に設けられている。2a，3aは支持軸２，３の固定用ビスである。【００１８】
フィンガーアタッチメント１におけるリング状の基部Ｂを基軸Ａに位置可能に装着するには、軸Ａが挿通される基部Ｂの穴の内面と基軸Ａの外面に、ゴム系材料などによる摩擦材によって摩擦力を持たせた構成、或は、基部Ｂの外部から基軸Ａ側へ達する押えビスを設け、該ビスの締緩による構成を採る。これによって当該アタッチメント１の基軸Ａの上での位置、及び／又は、向きを可変にすることができる。【００１９】
以上の構成により、図３および図４に示すように、係止片Ｅを利用して基部Ｂの一側にキャップＣを装着した場合にはそのキャップＣが安定的な握りとして、また、図５に示すように基部Ｂの両側にキャップＣを装着した場合には両キャップＣの内部に夫々のローラーＲｔ，Ｒｃを完全に収納することができるので、バッグなどに入れて持運びするときなどに便宜である。【００２０】
図２は、本発明のフィンガーアタッチメント１を取付けた美容ローラーマッサージ器の使用態様の一例を示した図である。使用者は、基軸Ａのクーラント・ローラーＲｃの側を手Ｈで握り、そのとき当該アタッチメント１の基部Ｂへその手Ｈの親指Ｐｆと人差し指Ｍｆを添え、自分の好みの位置と向きにそのアタッチメント１を整えてから回転打撃ローラーＲｔを自らの皮膚面に当てる。このとき、クーラントローラーＲｃと基部Ｂを握持する手Ｈは、前記アタッチメント１が使用者が自分の好みで選択した位置と向きに在ることにより、ほんの僅かな力を以て当該マッサージ器を支えていることになる。【００２１】
因みに、フィンガーアタッチメント１を有しない従来の美容ローラーマッサージ器を握持するときには、クーラント・ローラーＲｃを力一杯に握ったり余計な力を入れて握り、回転打撃ローラーＲｔをローリングさせていたことから、顔にちりめん様の皺が発生したり、静脈血管の遊離から皮膚が弛んでしまうことの原因になっていたことは、すでに述べたとおりである。【００２２】
この点に関し、本発明のフィンガーアタッチメント１を具備した美容ローラーマッサージ器においては、当該アタッチメント１の位置や向きを、上述したように自分の指の長さなどによって異なる好みの位置や向きに任意に変更できる。例えば、アタッチメント１の基部Ｂが当該美容マッサージ器全体の略重心を捉えるように、その基部Ｂを基軸Ａの所定の位置に位置決めすると、基軸Ａの一端を軽く握った中指や薬指などの力が、人差指Ｍｆと親指Ｐｆに支持される前記アタッチメント１が支点となって皮膚面に作用するため、回転打撃ローラーＲｔに過剰な押圧・打撃力が生じることを容易に回避することができる。【００２３】
この結果、使用者はいわゆるピアノタッチの力で皮膚面の軽やかなマッサージを行うことが容易になり、わざわざプロのマッサージ師等に依頼するまでもなく、使用者本人が「叩打法」を実践できるので有用なマッサージ効果を得ることができる。また、本発明マッサージ器は、構成がシンプルゆえに低廉な製造コストで提供することができる。
【産業上の利用可能性】
【００２４】
本発明は以上のとおりであって、回転打撃部を有するローラーの回転により脂肪等を除去する美容ローラーマッサージ器の使用に際し、使用者が握りとなる棒状基軸の一端を握ると共にその握った手の人差指と親指又はそのいずれかをアタッチメントに添えてローラーを皮膚面にあてがいマッサージ器を使用するので、不必要に強い力で以て皮膚面を押圧ないし打撃することはない。【００２５】
特に、フィンガーアタッチメントをマッサージ器本体の重心を捉える所定の位置へ配設すれば、押圧・打撃力をいわゆるピアノタッチ様に容易に加減できるので、使用者は理想的な美容法である「叩打法」を容易に実践することがでる。【００２６】
さらには、ローラーを含む基軸の一半側を収納できるキャップを、その開口端内周に設けた雌ネジにおいて、当該フィンガーアタッチメントの基部の外周に設けた雄ネジに係合させて装着することにより、このキャップを前記基軸を握り易くするグリップ部材としても機能させることができ、しかも、係止片を基部の両面に配設すれば、マッサージ器を使用しない時は２つのキャップによりマッサージ器を２つのキャップで完全にカバーすることができる。【００２７】
上述のように本発明ローラーマッサージ器は、皮膚面に対する過剰な力による刺激によって顔筋と皮膚とが剥離することによるちりめん様の皺が発生したり、あるいは静脈血管が遊離して皮膚を弛ませるといった不具合はほぼ完璧に回避することができ、美容マッサージ器としてきわめて有用である。
【図面の簡単な説明】
【００２８】
【図１】フィンガーアタッチメントを取付けた本発明美容ローラーマッサージ器の一例を示した正面図。
【図２】図１のマッサージ器におけるフィンガーアタッチメントの使用態様を表した斜視図。
【図３】図１のマッサージ器においてフィンガーアタッチメントの一端側にキャップを係合した状態の正面図。
【図４】図１のマッサージ器においてフィンガーアタッチメントの他端側にキャップを係合した状態の正面図。
【図５】図１のマッサージ器のフィンガーアタッチメントの両端側にキャップを係合した状態の正面図。
【図６】図５の本発明ローラーマッサージ器の縦断面図。
【符号の説明】
【００２９】
１    フィンガーアタッチメント
Ｂ    基部
Ｆ    フランジ部
Ｅ    係止片
Ａ    基軸
Ｒｔ  回転打撃ローラー
Ｒｃ  クーラント・ローラー
Ｔ    回転打撃部
Ｃ    キャップ
Ｅｃ  係合部
【図１】
2009130789.tif 000003
【図２】
2009130789.tif 000004
【図３】
2009130789.tif 000005
【図４】
2009130789.tif 000006
【図５】
2009130789.tif 000007
【図６】
2009130789.tif 000008
【国際調査報告】
2009130789.tif 000009
2009130789.tif 000010